(57)【要約】【課題】  設定を変更して実行するジョブについての変更後の設定、あるいは、設定を変更しても実行できないジョブについての設定を明らかにする。【解決手段】  画像データに応じた可視像を記録紙上に形成する画像形成手段と、各種状態表示を行う表示手段と、画像形成すべきジョブの設定について、前記画像形成手段において画像形成実行可能な条件（画像形成実行可能条件）を満たすか否かを判断し、画像形成すべきジョブの設定が前記画像形成実行可能条件を満たさない場合に、前記画像形成実行可能条件に合致するように前記ジョブの設定について可能な範囲内で変更して前記ジョブの画像形成を実行すると共に、変更して実行中の前記ジョブの設定、変更理由および変更内容を前記表示手段に表示するための制御を行う制御手段と、を有する。【選択図】      図１
2005329624.tif 000002
【特許請求の範囲】
【請求項１】
画像データに応じた可視像を記録紙上に形成する画像形成手段と、
各種状態表示を行う表示手段と、
画像形成すべきジョブの設定について、前記画像形成手段において画像形成実行可能な条件（画像形成実行可能条件）を満たすか否かを判断し、画像形成すべきジョブの設定が前記画像形成実行可能条件を満たさない場合に、前記画像形成実行可能条件に合致するように前記ジョブの設定について変更して前記ジョブの画像形成を実行すると共に、変更して実行中の前記ジョブの設定、変更理由および変更内容を前記表示手段に表示するための制御を行う制御手段と、
を有することを特徴とする画像形成装置。
【請求項２】
画像データに応じた可視像を記録紙上に形成する画像形成手段と、
各種状態表示を行う表示手段と、
画像形成すべきジョブの設定について、前記画像形成手段において画像形成実行可能な条件（画像形成実行可能条件）を満たすか否かを判断し、画像形成すべきジョブの設定が前記画像形成実行可能条件を満たさない場合に、前記画像形成実行可能条件に合致するように前記ジョブの設定について変更して前記ジョブの画像形成を実行すると共に、変更した上で実行を完了した前記ジョブの設定、変更理由および変更内容を前記表示手段に表示するための制御を行う制御手段と、
を有することを特徴とする画像形成装置。
【請求項３】
画像データに応じた可視像を記録紙上に形成する画像形成手段と、
各種状態表示を行う表示手段と、
画像形成すべきジョブの設定について、前記画像形成手段において画像形成実行可能な条件（画像形成実行可能条件）を満たすか否かを判断し、画像形成すべきジョブの設定が前記画像形成実行可能条件を満たさない場合に、前記画像形成実行可能条件に合致するように前記ジョブの設定について変更して前記ジョブの画像形成を実行するよう試行し、前記試行にもかかわらず前記ジョブの画像形成が実行できずに中止に至る場合には、実行を中止した前記ジョブについての中止に至った理由を前記表示手段に表示するための制御を行う制御手段と、
を有することを特徴とする画像形成装置。
【請求項４】
前記画像形成装置には、画像形成された転写紙に対して各種後処理を実行する後処理装置が接続されており、
前記制御手段は、前記ジョブの設定についての変更として、前記後処理装置での後処理モードの変更を含む、
ことを特徴とする請求項１乃至請求項３のいずれかに記載の画像形成装置。
【請求項５】
サイズあるいは紙種の異なる転写紙をそれぞれ収納する複数の給紙トレイを備え、
前記制御手段は、前記ジョブの設定についての変更として、前記給紙トレイの選択の変更を含む、
ことを特徴とする請求項１乃至請求項４いずれかに記載の画像形成装置。
【請求項６】
前記表示するための制御は、ジョブの設定の変更、実行、中止あるいはそれらについての理由を履歴として管理する制御である、
ことを特徴とする請求項１乃至請求項５のいずれかに記載の画像形成装置。
【発明の詳細な説明】
【技術分野】
【０００１】
本発明は画像形成装置に関し、さらに詳しくは、ジョブの取り扱いに関する。
【背景技術】
【０００２】
複写機などの画像形成装置において複数枚の原稿を画像形成した場合に、後処理として、コピー１部毎に丁合してステイプルにより綴じ合わせ（ステイプル仕上げ）をすることがある。
【０００３】
このような場合、画像形成装置本体に隣接して後処理装置を配置し、画像形成装置本体から排出された転写紙を後処理装置が受け入れ、この後処理装置がステイプル仕上げを行っている。
【０００４】
このようなステイプル仕上げを行う場合、ステイプル仕上げをするのに可能な記録紙制限枚数が定められている。このような記録紙制限枚数を超えてステイプル仕上げが指定された場合、画像形成そのものを停止させる場合と、ステイプル仕上げをしない状態で画像形成だけは完了させる場合とがある。
【０００５】
また、画像形成に指定されたサイズの転写紙が無くなった場合、装置の設定により、画像形成を停止させる場合と、異なるサイズの転写紙に画像形成を続行する場合とがある。同様に、画像形成に指定された紙種の転写紙が無くなった場合、装置の設定により、画像形成を停止させる場合と、同じサイズで紙種の異なる転写紙に画像形成を続行する場合とがある。
【０００６】
このような場合、従来の画像形成装置では、画像形成のジョブが予約された段階（画像形成実行前）は、画像形成に関してどのような指定がなされているかを確認することが可能である（特許文献１参照）。しかし、画像形成が完了した後あるいは中止された後は、そのジョブが完了したか、あるいは、中止されたかの確認しかできない。
【０００７】
すなわち、画像形成のジョブが完了した場合に、何らかの変更が加えられたかを確認することはできなかった。同様に、画像形成のジョブが中止された場合に、どのような理由で中止されたかを確認することはできなかった。
【特許文献１】特開平８−１４２４５４号公報（第１頁〜第２頁、図１）
【発明の開示】
【発明が解決しようとする課題】
【０００８】
以上のように、画像形成のジョブが中止された場合、どのような理由で中止に至ったかを確認することができないと、どのような設定にすれば画像形成出力が得られるかを知ることもできない。すなわち、ジョブ履歴などの表示画面では、実行が完了したか中止されたかの確認までは可能であるが、設定の変更や中止の理由などについては、表示されていなかった。
【０００９】
また、以上のように設定が自動的に変更された状態でジョブが実行された場合、出力物を受け取ったユーザは、その出力物が意図していたものとどのように異なるかを知ることができないという問題がある。なお、画像形成装置の表示部には、そのジョブの実行中には設定の変更を表示することもある。しかし、そのジョブが完了して次のジョブを実行し始めると、もはや、先の設定が変更されたジョブについての情報は表示部に表示されない。
【００１０】
また、以上のように設定が自動的に変更された状態でジョブが実行された場合、出力物を受け取ったユーザは、その出力物が意図していたものとどのように異なるかを知ることができないために、何度も同じ（あるいは、同じような）ジョブの実行を繰り返しつつも、意図する出力物を得られないという問題も生じる。
【００１１】
また、以上のように設定が自動的に変更された状態でジョブが実行された場合、ステイプル仕上げの有無や転写紙サイズや紙種の違いなど、出力物の形態が意図したものでないため、出力物を見つけることが困難になる事態も予想される。
【００１２】
本発明はこのような課題に鑑みてなされたものであって、その目的は、設定を変更して実行するジョブについての変更後の設定、あるいは、設定を変更しても実行できないジョブについての設定を、ジョブ実行中あるいはジョブ実行後に明らかにすることができる画像形成装置を実現することである。
【課題を解決するための手段】
【００１３】
すなわち、前記した課題を解決する本発明は、以下の通りである。
（１）請求項１記載の発明は、画像データに応じた可視像を記録紙上に形成する画像形成手段と、各種状態表示を行う表示手段と、画像形成すべきジョブの設定について、前記画像形成手段において画像形成実行可能な条件（画像形成実行可能条件）を満たすか否かを判断し、画像形成すべきジョブの設定が前記画像形成実行可能条件を満たさない場合に、前記画像形成実行可能条件に合致するように前記ジョブの設定について変更して前記ジョブの画像形成を実行すると共に、変更して実行中の前記ジョブの設定、変更理由および変更内容を前記表示手段に表示するための制御を行う制御手段と、を有することを特徴とする画像形成装置である。なお、表示するための制御とは、その時点で表示を実行する制御だけでなく、後に表示することが可能なように、履歴を記録する制御をも含むものとする。
【００１４】
この発明では、画像形成すべきジョブの設定について、画像形成実行可能な条件（画像形成実行可能条件）を満たすか否かを判断し、画像形成実行可能条件を満たさない場合に、画像形成実行可能条件に合致するようにジョブの設定について可能な範囲内で変更して、ジョブの画像形成を実行する。そして、変更して実行中のジョブの設定（変更後の設定）、変更理由及び変更内容を、表示手段に表示するための制御を行う。
【００１５】
（２）請求項２記載の発明は、画像データに応じた可視像を記録紙上に形成する画像形成手段と、各種状態表示を行う表示手段と、画像形成すべきジョブの設定について、前記画像形成手段において画像形成実行可能な条件（画像形成実行可能条件）を満たすか否かを判断し、画像形成すべきジョブの設定が前記画像形成実行可能条件を満たさない場合に、前記画像形成実行可能条件に合致するように前記ジョブの設定について変更して前記ジョブの画像形成を実行すると共に、変更した上で実行を完了した前記ジョブの設定、変更理由および変更内容を前記表示手段に表示するための制御を行う制御手段と、を有することを特徴とする画像形成装置である。なお、表示するための制御とは、その時点で表示を実行する制御だけでなく、後に表示することが可能なように、履歴を記録する制御をも含むものとする。
【００１６】
この発明では、画像形成すべきジョブの設定について、画像形成実行可能な条件（画像形成実行可能条件）を満たすか否かを判断し、画像形成実行可能条件を満たさない場合に、画像形成実行可能条件に合致するようにジョブの設定について可能な範囲内で変更して、ジョブの画像形成を実行する。そして、変更した上で実行を完了したジョブの設定（変更後の設定）、変更理由及び変更内容を、表示手段に表示するための制御を行う。
【００１７】
（３）請求項３記載の発明は、画像データに応じた可視像を記録紙上に形成する画像形成手段と、各種状態表示を行う表示手段と、画像形成すべきジョブの設定について、前記画像形成手段において画像形成実行可能な条件（画像形成実行可能条件）を満たすか否かを判断し、画像形成すべきジョブの設定が前記画像形成実行可能条件を満たさない場合に、前記画像形成実行可能条件に合致するように前記ジョブの設定について変更して前記ジョブの画像形成を実行するよう試行し、前記試行にもかかわらず前記ジョブの画像形成が実行できずに中止に至る場合には、実行を中止した前記ジョブについての中止に至った理由を前記表示手段に表示するための制御を行う制御手段と、を有することを特徴とする画像形成装置である。なお、表示するための制御とは、その時点で表示を実行する制御だけでなく、後に表示することが可能なように、履歴を記録する制御をも含むものとする。
【００１８】
この発明では、画像形成すべきジョブの設定について、画像形成実行可能な条件（画像形成実行可能条件）を満たすか否かを判断し、画像形成実行可能条件を満たさない場合に、画像形成実行可能条件に合致するようにジョブの設定について可能な範囲内で変更してジョブの画像形成を実行するよう試行し、設定変更を試みたにもかかわらずジョブの画像形成が実行できずに中止に至る場合には、実行を中止した前記ジョブについての中止に至った理由を前記表示手段に表示するための制御を行う。
【００１９】
（４）請求項４記載の発明は、前記画像形成装置には、画像形成された転写紙に対して各種後処理を実行する後処理装置が接続されており、前記制御手段は、前記ジョブの設定についての変更として、前記後処理装置での後処理モードの変更を含む、ことを特徴とする請求項１乃至請求項３のいずれかに記載の画像形成装置である。
【００２０】
この発明では、画像形成装置には各種後処理を実行する後処理装置が接続されており、ジョブの設定についての変更として、後処理装置での後処理モードの変更を行うようにしている。
【００２１】
（５）請求項５記載の発明は、サイズあるいは紙種の異なる転写紙をそれぞれ収納する複数の給紙トレイを備え、前記制御手段は、前記ジョブの設定についての変更として、前記給紙トレイの選択の変更を含む、ことを特徴とする請求項１乃至請求項４いずれかに記載の画像形成装置である。
【００２２】
この発明では、サイズあるいは紙種の異なる転写紙をそれぞれ収納する複数の給紙トレイを備えた場合に、ジョブの設定についての変更として、給紙トレイの選択の変更を行うようにしている。
【００２３】
（６）請求項６記載の発明は、前記表示するための制御は、ジョブの設定の変更、実行、中止あるいはそれらについての理由を履歴として管理する制御である、ことを特徴とする請求項１乃至請求項５のいずれかに記載の画像形成装置である。
【００２４】
この発明では、前記表示するための制御としては、ジョブの設定の変更、実行、中止あるいはそれらについての理由を履歴として管理する制御を行う。
【発明の効果】
【００２５】
本発明によると、以下のような効果が得られる。
（１）この発明では、ジョブの設定が画像形成実行可能条件を満たさない場合に、設定を変更して画像形成を実行すると共に、変更して実行中のジョブの設定（変更後の設定）、変更理由及び変更内容を、表示手段に表示するための制御を行う。ここで、表示手段への表示は、その時点で表示中の画面への表示のほか、専用の画面への表示、ネットワーク接続された他の機器の表示手段への表示などが該当する。この結果、設定を変更して実行するジョブについての変更後の設定を、ジョブ実行中に明らかにすることが可能になる。
【００２６】
（２）この発明では、ジョブの設定が画像形成実行可能条件を満たさない場合に、設定を変更して画像形成を実行すると共に、変更して実行完了したのジョブの設定（変更後の設定）、変更理由及び変更内容を、表示手段に表示するための制御を行う。ここで、表示手段への表示は、専用の画面への表示、ネットワーク接続された他の機器の表示手段への表示などが該当する。この結果、設定を変更して実行したジョブについての変更後の設定を、ジョブ実行後に明らかにすることが可能になる。
【００２７】
（３）この発明では、ジョブの設定が画像形成実行可能条件を満たさないため、設定の変更を試みたにもかかわらず実行できずに中止に至る場合には、中止に至った理由を表示手段に表示することで、設定を変更しても実行できないジョブについての設定を明らかにすることができる。
【００２８】
（４）この発明では、画像形成装置に後処理装置が接続されている場合には、後処理装置での後処理モードの変更をジョブの設定についての変更として行うため、後処理の設定を変更して実行するジョブについての変更後の設定、あるいは、後処理の設定を変更しても実行できないジョブについての設定を、ジョブ実行中あるいはジョブ実行後に明らかにすることができる。
【００２９】
（５）この発明では、サイズあるいは紙種の異なる転写紙をそれぞれ収納する複数の給紙トレイについて選択の変更を行うようにしているため、給紙トレイの設定を変更して実行するジョブについての変更後の設定、あるいは、給紙トレイの設定を変更しても実行できないジョブについての設定を、ジョブ実行中あるいはジョブ実行後に明らかにすることができる。
【００３０】
（６）この発明では、表示するための制御としては、ジョブの設定の変更、実行、中止あるいはそれらについての理由を履歴として管理する制御を行う。この結果、設定を変更して実行するジョブ、設定を変更して実行したジョブ、設定を変更しても実行できず中止するジョブ、についての変更後の設定や変更理由や中止理由を、明らかにすることが可能になる。
【発明を実施するための最良の形態】
【００３１】
以下、図面を参照して本発明を実施するための最良の形態（以下、実施形態）を詳細に説明する。
〈画像形成装置の電気的構成および全体構成〉
図１は本発明の実施の形態の画像形成装置１００と、画像形成装置１００に接続された後処理の装置との電気的構成例を示すブロック図である。
【００３２】
なお、以下の実施形態では、画像読み取り部を備えた複写機などの画像形成装置を具体例にして説明するが、画像読み取り部を備えないプリンタなどの画像形成装置であっても本願発明の作用効果を奏することは可能である。
【００３３】
また、この実施形態において、ジョブ（ＪＯＢ）とは、コピージョブあるいはプリントジョブを意味している。
ここで、コピージョブとは、原稿の読み取りにより生成された画像データについて、出力設定（画像形成出力に関する各種設定）と共に記憶部に、読み取られた一連の原稿を単位として画像形成出力されるまで記憶されたものを意味している。また、ここで、プリントジョブとは、画像形成装置がプリンタとして動作する場合に、他の機器から送られてきた画像データについて、出力設定（画像形成出力に関する各種設定）と共に記憶部に、読み取られた一連の画像データを単位として画像形成出力されるまで記憶されたものを意味している。また、ここで、スキャナジョブとは、画像形成装置がスキャナとして動作する場合に、他の機器から送られてきたスキャン指示に対して、スキャン設定（スキャンに関する各種設定）と共に、読み取り実行まで記憶された指示や、読み取り実行により得られた画像データを意味している。さらに、予約ジョブとは、原稿の読み取りあるいは画像データの受信と画像形成出力とがリアルタイムで行われずに、画像形成待ちの状態で画像形成装置の記憶部に記憶された状態のジョブを意味している。
【００３４】
この図１において、１００は画像形成装置であり、以下の各部により構成されている。１０１は画像形成装置１００の各部を制御する制御手段としての制御部である。この制御部１００は、この実施形態では、ジョブの設定が画像形成実行可能条件を満たさない場合に、設定を変更して画像形成を実行する制御を行うと共に、設定を変更して実行するジョブの設定（変更後の設定）、変更理由及び変更内容を表示するための制御を行う。また、この制御部１００は、ジョブの設定が画像形成実行可能条件を満たさないため、設定の変更を試みたにもかかわらず実行できずに中止に至る場合には、中止に至った理由を表示するための制御を行う。なお、表示するための制御とは、その時点で表示を実行する制御だけでなく、後に表示することが可能なように、履歴を記録する制御をも含むものとする。
【００３５】
１１０は操作部１１１と表示部１１２とからなる操作表示部である。ここで、操作部１１１には、コピー枚数、拡大・縮小率、転写紙サイズ（Ａ４，Ａ４Ｒ，Ｂ５，Ｂ５Ｒ）、転写紙トレイなどの選択といったジョブの設定が行なわれる。また、表示部１１２には、画像形成を実行するために変更されたジョブの設定（変更後の設定）を表示や、設定の変更を試みたにもかかわらず画像形成を実行できずに中止に至る場合の中止に至った理由などが、表示される。
【００３６】
１２０は自動原稿給紙部（以下、ＡＤＦと言う）であって、載置された原稿を後述する画像読み取り部１３０に対して自動で給紙する手段である。このＡＤＦ１２０は、原稿の表裏を反転させて、原稿の裏面の画像を画像読み取り部に給紙する構成であってもよい。なお、このＡＤＦ１２０は、原稿の片面（表面）を画像読み取り部に自動給紙した後に排出させることも可能である。
【００３７】
１３０は原稿を光学的に読み取って画像データを生成する画像読み取り手段としての画像読み取り部（スキャナ部）である。１４０は画像読み取り部１３０で生成された画像データに対して所定の画像処理を施す画像処理手段としての画像処理部である。
【００３８】
１５０は画像処理された画像データを転写紙上に記録（画像形成）する画像形成手段としての画像形成部である。１６０は画像読み取り部１３０で読み取られた画像データや外部Ｉ／ＦであるＩ／Ｆ１６１からの画像データを取り扱うためのプリンタ・スキャナコントローラである。
【００３９】
１７０は画像データや各種データを記憶するために半導体メモリやハードディスク装置などの記憶手段で構成された記憶部である。実行前の予約ジョブの画像データや、画像形成時に展開された画像データや、ジョブリストなどのデータも、この記憶部１７０に記憶される。
【００４０】
なお、画像処理部１４０は、画像読み取り部１３０からの画像データだけではなく、必要に応じて、プリンタ・スキャナコントローラ１６０からの画像データについても画像処理を行う。
【００４１】
２００は画像形成装置１００で画像形成された転写紙に各種後処理（パンチ処理、ステイプル処理など）を施す後処理手段としての後処理装置（第１のフィニッシャ（フィニッシャ＃１））である。ここで、後処理装置２００は、後処理制御を行う後処理制御部２０１と、パンチ処理を行うパンチ部２１０と、ステイプル処理を行うステイプル部２２０とを有している。ここで、後処理制御部２０１は、画像形成装置１００の制御部１０１や積載排出制御３００の積載排出制御部３０１などと通信を行いつつ、後処理制御を実行する。
【００４２】
３００は画像形成装置１００で画像形成された転写紙を積載した状態にして引き出した後に転写紙を取り出すことが可能に構成された積載排出手段としての台車などの積載排出部３１０と、積載排出制御を行う積載排出制御部３０１と、を備えた積載排出装置（第２のフィニッシャ（フィニッシャ＃２））である。ここで、積載排出制御部３０１は、画像形成装置１００の制御部１０１や後処理装置２００の後処理制御部２０１などと通信を行いつつ、積載排出制御を実行する。
【００４３】
〈画像形成装置の機械的構成および全体動作〉
つぎに、図２を参照して実施形態の画像形成装置およびそれに接続されるフィニッシャなどの全体の機械的構成および基本的な動作を説明する。なお、この図２では、画像形成装置１００に、フィニッシャ＃１（後処理装置）２００と、フィニッシャ＃２（積載排出装置）３００とが接続された状態を具体例にして説明する。
【００４４】
この図２において、原稿の両面読み取りが可能なＡＤＦ１２０のトレイ１２１には、原稿第１頁の表面を上にした状態の原稿ｄが複数枚載置される。そして、原稿ｄが自動給紙された場合には、第２のプラテンガラス下に光源１３１とミラー１３２〜１３４が固定された状態で読み取りを行う。
【００４５】
この時、画像読み取り部１３０では、光源１３１により原稿ｄの原稿面が照射され、その反射光がミラー１３２〜１３４および結像光学系を介して光電変換手段であるＣＣＤ１３５の受光面に像を結ぶ。ここで、光源１３１、ミラー１３２〜１３４、結像光学系及びＣＣＤ１３５を有する光学系、並びに、図示されていない光学系駆動手段とで画像読み取り部１３０を構成している。なお、この図２において、原稿ｄがプラテンガラス上に読み取り面を下に向けた状態に載置された場合には、光学系はプラテンガラスに沿って走査して読み取りを行う。
【００４６】
そして、読み取られた原稿ｄの画像データは、ＣＣＤ１３５から図示しない画像処理部１４０に送られる。
なお、原稿ｄがＡＤＦ１２０により自動給紙される場合には、原稿ｄの１ページ目が読み取られると、今度は反転ローラを介して再度ローラを用いた巻き取り操作が行われ、原稿裏面の画像が画像読み取り部１２０で読み取られ、画像処理部１４０に送られる。このようにして、表面と裏面との画像が読み取られた原稿ｄは、再度反転ローラで反転されて、表面を下に向けた状態で排紙皿１２２に積載されていく。このようにして画像読み取り部１２０で読み取られた画像データは、画像処理部１４０で所定の画像処理が行なわれた後、記憶部１７０に記憶される。
【００４７】
一方、転写紙（転写紙）が積載されている給紙カセット３０ａ〜３０ｃのいずれかから転写紙ｐが繰り出され、画像形成部５０に給送される。画像形成部５０に給送される転写紙ｐはその入口の第二給紙ローラ（レジストローラ）３２で同期がとられた後、感光体ドラム５１により近接する。
【００４８】
なお、原稿を載置したとき、原稿を搬送しているとき、あるいは、原稿の画像を読み取っているときに原稿のサイズを検知し、複数の給紙カセットの中から、検知した原稿のサイズ（拡大または縮小設定など変倍時には、変倍率を乗じた後の転写紙サイズ）に合致する転写紙を収納した給紙カセットを選択し、転写紙を給紙するオートペーパーセレクト（ＡＰＳ）の機能を有していてもよい。このＡＰＳ機能を機能させた場合には、その機能に従って適した転写紙ｐが繰り出されて給送される。
【００４９】
画像処理部１４０で処理されて記憶部１７０に記憶された画像データが画像書き込み部４０に入力されると、画像書込み部４０内のレーザダイオードから画像データに応じたレーザ光を感光体ドラム５１上に照射し、静電潜像を形成する。この静電潜像を現像部５３で現像することで、感光体ドラム５１上にトナー像を形成する。
【００５０】
このトナー像は感光体ドラム５１の下部の転写部５４により転写紙ｐに転写される。そして、感光体ドラム５１に圧着されている転写紙ｐは分離部５５により分離される。感光体ドラム５１から分離された転写紙ｐは搬送機構５７を介して定着部５８に入り、トナー像が熱と圧力とにより定着される。なお、両面画像形成の場合には、この段階で、転写紙ｐに裏面の画像（第２頁目画像）が形成される。
【００５１】
トナー像が定着された転写紙ｐは、片面画像形成の場合には、後述する後処理装置（後処理装置２００〜積載排出装置３００）での出力形態に合わせ、そのまま、もしくは、再度反転部６３で反転されて排出ローラ６５により機外（後述する後処理装置）に排出される。
【００５２】
また、両面画像形成の場合にはガイド６１を介して下方に搬送され、反転部６３に入る。次に、反転部６３に入っている転写紙ｐは、反転ローラ６２により再度繰り出され、反転搬送路６４を経由して再度画像形成部５０に送られる。
【００５３】
前記原稿ｄの裏面の画像形成が終了した画像形成部５０では、感光体ドラム５１に付着したトナーがクリーニング部５６で除去され、続く帯電部５２により帯電させられ、次の画像形成に備えている。
【００５４】
この状態で転写紙ｐの表面（未だ画像形成されていない面）が画像形成部５０に搬入され、表面の画像（第１頁目画像）が形成される。分離部５５で感光体ドラム５１から分離された転写紙ｐは搬送機構５７を介して再度定着部５８に入って定着される。
【００５５】
このように、裏面と表面との画像形成が完了した転写紙ｐは、後述する後処理装置（後処理装置２００〜積載排出装置３００）での出力形態に合わせ、そのまま、もしくは、再度反転部６３で反転されて排出ローラ６５により機外（後述する後処理装置）に排出される。
【００５６】
後処理装置２００においては、ジョブ予約時などに予め指定された後処理として、指定された位置にパンチ部２１０でパンチ処理され、または、指定された位置にステイプル部２２０によりステイプル処理される。
【００５７】
積載排出装置３００では、画像形成装置１００で画像形成された転写紙が積載排出トレイ３１１上に順次積載される。この場合、転写紙が積載されるに従い、積載排出トレイ３１１は徐々に下降していく。そして、転写紙を積載した状態にして、たとえば、紙面垂直方向手前側に積載排出部３１０（積載排出トレイ３１１を含む）を引き出しされた後に転写紙を取り出すことが可能に構成されている。なお、積載排出部３１０の積載排出トレイ３１１に積載されなかった転写紙は、メイントレイ３３０あるいはサブトレイ３４０に排出される。
【００５８】
ここで図３のフローチャートを参照して、本実施形態において画像形成する画像形成装置の動作について、後処理装置（後処理装置２００〜積載排出装置３００）の動作と共に詳細に説明する。
【００５９】
まず、制御部１０１は、画像読み取り部１３０あるいはプリンタ・スキャナコントローラ１６０から画像データの入力（予約ジョブの発生）が無いかを監視している（図３Ｓ１）。ここで、画像データの入力があれば（図３Ｓ１）、制御部１０１は、予約ジョブの発生として、画像データを記憶部１７０に格納する。
【００６０】
また、制御部１０１は、この予約ジョブの発生を予約ジョブリストの履歴欄に記録する（図３Ｓ２）。ここで予約ジョブリストのデータ構成は、図６に一例を示すようになっている。すなわち、ジョブの通し番号であるジョブＩＤ、コピージョブ／プリンタジョブ／スキャナジョブの別を示すジョブ種、予約中／動作中／停止中／完了の別を示す状態、読み込み枚数、画像形成する際の部数、実行の残りを示す残枚数、残り時間を示す残時間、設定についての変更あるいは中断の有無を示す変更・中断情報、変更あるいは中断の理由を示す理由、などのデータが含まれて構成されている。このような予約ジョブリストが予約ジョブの発生毎に、制御部１０１により作成されて記憶部１７０に記憶されている。
【００６１】
そして、制御部１０１は、発生した予約ジョブについて、ジョブの設定が画像形成実行可能条件を満たすか否かを判断する（図３Ｓ３）。
ここで、ジョブの設定とは、画像形成部数、記録紙サイズ、トレイ選択、後処理モード、などが該当する。ここで、トレイ選択とは、画像形成装置の何段目のトレイの記録紙を使用するかという設定を意味する。また、後処理モードとは、ステイプル設定、パンチ設定、排紙トレイ指定、などを意味する。
【００６２】
なお、この実行可能条件判断（図３Ｓ３）については、別途図４に詳細な処理ルーチンを示す。まず、制御部１０１は、予約ジョブの設定が機械制限仕様の範囲外であるか否かを判断する（図４Ｓ１）。
【００６３】
予約ジョブの設定が、機械制限仕様の範囲外でなければ（図４Ｓ１でＮＯ）、ジョブの実行に何ら問題はないので、このルーチンを終了する（図４終了）。
予約ジョブの設定が機械制限仕様の範囲外であれば（図４Ｓ１でＹＥＳ）、その設定のままではジョブを実行することができないため、画像形成装置の設定として「ジョブの設定を画像形成装置側で可能な範囲内で変更してジョブを実行する」となっているかを制御部１０１が調べる（図４Ｓ２）。
【００６４】
画像形成装置の設定として「ジョブの設定を画像形成装置側で可能な範囲内で変更して実行する」となっている場合には（図４Ｓ２でＹＥＳ）、制御部１０１は、ジョブの設定を画像形成装置側で可能な範囲内で変更し、該ジョブを実行可能な状態になるようにする（図３Ｓ３）。
【００６５】
このジョブの設定の変更としては、選択されているサイズの記録紙が切れている場合には、同サイズ以上の記録紙への変更が該当する。このジョブの設定の変更としては、選択されているトレイの記録紙が切れている場合には、同サイズ以上の記録紙のトレイへの変更が該当する。また、能力以上の枚数のジョブについてステイプル設定がなされている場合には、ステイプル無しへの変更が該当する。また、能力以上の枚数のジョブについてパンチ設定がなされている場合には、パンチ無しへの変更が該当する。
【００６６】
このようなジョブの設定の変更（図３Ｓ３）によって機械制限仕様の範囲内に収まるようになる（図３Ｓ４でＹＥＳ）ことが制御部１０１によって判断されれば、制御部１０１は予約ジョブリストの履歴情報に設定の変更内容および変更理由を記録する（図４Ｓ５）。
【００６７】
図７は予約ジョブリストの一覧表示画面の一例を示している。ここで、図７（１）が設定の変更後の内容（変更履歴）を示し、図７（２）が設定変更の理由を示している。ここでは、ＩＤ＝００１１のジョブについては、ステイプルソートが枚数（能力）超過によりステイプル無しの通常のソートに変更されたことを表している。また、ＩＤ＝００１２のジョブについては、設定されたＡ４サイズの記録紙が切れていたため同等以上のＡ３サイズの記録紙に変更されたことを表している。
【００６８】
一方、画像形成装置の設定として「ジョブの設定を画像形成装置側で可能な範囲内で変更して実行する」となっていない場合（図４Ｓ２でＮＯ）、あるいは、ジョブの設定の変更（図３Ｓ３）によっても機械制限仕様の範囲内に収まるようにならない場合（図３Ｓ４でＮＯ）には、制御部１０１は入力された予約ジョブを削除する（図４Ｓ６）。
【００６９】
ここで、ジョブの設定の変更（図３Ｓ３）によっても機械制限仕様の範囲内に収まるようにならない場合（図３Ｓ４でＮＯ）とは、ジョブで選択されているサイズの記録紙が切れている場合であって、同サイズ以上の記録紙が別のトレイにも存在しない場合などが該当する。また、ジョブで選択されているトレイの記録紙が切れている場合には、同サイズ以上の記録紙のトレイが存在しない場合なども該当する。
【００７０】
このようなジョブにしてジョブが削除された場合（図３Ｓ６）、制御部１０１は予約ジョブリストの履歴情報に削除の履歴および削除理由を記録する（図４Ｓ７）。図７ではＩＤ＝００１５のジョブが、選択されているサイズ、およびそれ以上のサイズの記録紙が存在しないという理由で削除された例を示している。
【００７１】
そして、ジョブの設定が変更されて履歴が記録された場合（図４Ｓ５）、および、ジョブが削除されて履歴が記録された場合（図４Ｓ７）、制御部１０１は予約ジョブリストの表示を更新し（図４Ｓ８）、実行可能条件判断のサブルーチンを終了して図３のメインルーチンに復帰する。
【００７２】
ここで、制御部１０１は、以上の実行可能条件判断によりジョブの設定が機械制限仕様を満足して実行可能であると判断された場合には（図３Ｓ４でＹＥＳ）、予約ジョブのうち最も古いものを実行する（図３Ｓ５、Ｓ６）。そして、ジョブの実行が完了（図３Ｓ６でＹＥＳ）したら、制御部１０１は実行が完了したジョブについて過去ジョブリストの履歴に記録する（図３Ｓ７）。
【００７３】
なお、この過去ジョブリストの記録（図３Ｓ７）については、別途図５に詳細な処理ルーチンを示す。
まず、制御部１０１は、上述した予約ジョブリストに記録されている予約ジョブのうち、実行が完了して次の予約ジョブが実行中になった場合、実行が完了したジョブの履歴を予約ジョブリストから削除すると共に、過去ジョブリストにジョブ情報を登録し（図５Ｓ１）、ジョブ履歴情報を登録する（図５Ｓ２）。
【００７４】
図８は過去ジョブリストの一覧表示画面の一例を示している。ここで、ジョブ情報とはジョブの基本的な情報（ジョブＩＤ、状態、枚数、部数、トータル枚数、時間など）が該当し、ジョブ履歴情報とは本実施形態で新たに採用された変更履歴とその理由の情報である（図８（１）、（２））。
【００７５】
ここでは、ＩＤ＝００１１のジョブについては、ステイプルソートが枚数（能力）超過の理由によりステイプル無しの通常のソートに変更されて実行されたことを表している。また、ＩＤ＝００１２のジョブについては、設定されたＡ４サイズの記録紙が切れていたため同等以上のＡ３サイズの記録紙に変更されて実行されたことを表している。ここでは、ＩＤ＝００１３のジョブについては、枚数オーバーの理由によりジョブが削除されて実行が中止されたことを表している。また、ＩＤ＝００１４のジョブについては、変更無く実行が完了したことを表している。
【００７６】
以上のようにして制御部１０１が作成した予約ジョブリストと過去ジョブリストとは記憶部１７０に記憶しておいて、操作部１１１から所定の呼び出し操作があった場合に、制御部１０１が表示部１１２に専用の画面として表示すればよい。
【００７７】
なお、予約ジョブの入力があった場合には、その入力時点で判断を行って変更内容などを、表示部１１２の通常画面にポップアップ表示してもよい。また、予約ジョブが実行開始する時点で変更内容などを表示部１１２の通常画面にポップアップ表示してもよい。また、ジョブが実行完了して次のジョブの実行が開始された時点で、過去ジョブリストの最新内容（実行完了直後のジョブの内容）などを表示部１１２の通常画面にポップアップ表示してもよい。
【００７８】
また、以上のようにして制御部１０１が作成した予約ジョブリストと過去ジョブリストとは記憶部１７０に記憶しておいて、ネットワーク接続された他のコンピュータからの所定の呼び出し操作があった場合に、呼び出し操作を行ったコンピュータの表示画面に表示してもよい。
【００７９】
この結果、この実施形態によれば、設定を変更して実行するジョブについての変更後の設定について、ジョブ実行前、ジョブ実行中、ジョブ実行後にに明らかにすることが可能になる。このため、同じ設定のジョブを繰り返して実行させて転写紙を無駄にするといった事態を未然に防止できる。
【００８０】
また、以上のように設定が自動的に変更された状態でジョブが実行された場合に、ステイプル仕上げの有無や転写紙サイズや紙種の違いなど、出力物の形態が意図したものでない場合であっても、過去ジョブリストを参照することで、出力物を容易に見つけることが可能になる。
【００８１】
また、この実施形態では、ジョブの設定が画像形成実行可能条件を満たさないため、設定の変更を試みたにもかかわらず実行できずに中止に至る場合にも、中止に至った理由を予約ジョブリストと過去ジョブリストとで表示することで、設定を変更しても実行できないジョブについての設定を明らかにすることができる。このため、同じ設定のジョブを繰り返して実行させて、時間を無駄にするといった事態を未然に防止できる。
【００８２】
また、この実施形態では、後処理の設定を変更して実行するジョブについての変更後の設定、あるいは、後処理の設定を変更しても実行できないジョブについての設定を、ジョブ実行前、ジョブ実行中あるいはジョブ実行後に明らかにすることができる。
【００８３】
また、この実施形態では、サイズあるいは紙種の異なる転写紙をそれぞれ収納する複数の給紙トレイについて選択の変更を行うようにしているため、給紙トレイの設定を変更して実行するジョブについての変更後の設定、あるいは、給紙トレイの設定を変更しても実行できないジョブについての設定を、ジョブ実行前、ジョブ実行中あるいはジョブ実行後に明らかにすることができる。
【００８４】
なお、以上の実施形態で示した具体例以外の理由でジョブの設定が変更になる場合やジョブの実行が中止される場合についても、以上の具体例と同様に、変更内容や理由の表示により、ジョブ実行前、ジョブ実行中、ジョブ実行後にに明らかにすることが可能になる。
【図面の簡単な説明】
【００８５】
【図１】本発明の実施形態の画像形成装置の電気的な構成を示す機能ブロック図である。
【図２】本発明の実施形態の画像形成装置の機械的な構成を示す構成図である。
【図３】本発明の実施形態の画像形成装置の動作を示すフローチャートである。
【図４】本発明の実施形態の画像形成装置の動作を示すフローチャートである。
【図５】本発明の実施形態の画像形成装置の動作を示すフローチャートである。
【図６】本発明の実施形態の画像形成装置の状態を示す説明図である。
【図７】本発明の実施形態の画像形成装置の表示画面例を示す説明図である。
【図８】本発明の実施形態の画像形成装置の表示画面例を示す説明図である。
【符号の説明】
【００８６】
１０  ＡＤＦ（自動原稿給紙部）
２０  画像読み取り部
３０  給紙部
４０  画像書込み部
５０  画像形成部
６０  反転部
１００  画像形成装置
１０１  制御部
１１０  操作表示部
１１１  操作部
１１２  表示部
１２０  ＡＤＦ
１３０  画像読み取り部
１４０  画像処理部
１５０  画像形成部
１６０  プリンタ・スキャナコントローラ
１７０  記憶部
２００  後処理装置
３００  積載排出装置
【図１】
2005329624.tif 000003
【図２】
2005329624.tif 000004
【図３】
2005329624.tif 000005
【図４】
2005329624.tif 000006
【図５】
2005329624.tif 000007
【図６】
2005329624.tif 000008
【図７】
2005329624.tif 000009
【図８】
2005329624.tif 000010